(57)【要約】【課題】遊技者が消費して収納している金庫内の金銭を、金庫を開けなくても収納小計金額が解かれば、ある金額ランク以上の金庫だけを集金作業する事ができる。【解決手段】遊技者が消費して収納している金庫内の金額について、集金を前回にした以後に、その後に遊技者が消費して収納した金額に応じた内容が解かる様にするために、収納する金額に応じた信号を計数して、その計数金額に対応した表示を金庫を開けなくても確認出来るようにする事と集金時に計数金額を零復帰できる事である。【選択図】        図１
2004318294.tif 000002
【特許請求の範囲】
【請求項１】
遊技場等で遊技者が消費した金銭を収納する金庫内に貨幣が収納される際に、その収納金額に応じた信号を計数して、その計数の累計金額に応じた表示を、金庫扉を開けないでも確認できる所で実施して、この累計金額を適宜に零復帰させる行為が出来る表示システム。
【発明の詳細な説明】
【０００１】
【発明が属する技術分野】
本発明は、遊技場等で遊技者が消費した金銭を収納する金庫が多数ある場所で便利な、金庫内にその時点で収納されている金額の表示を外部で確認できるシステムに関するものである。
【０００２】
【従来の技術】
金庫内の金額は、金庫の傍では通常には外部からは解からない様にするために外部用金額表示器は無いが、内部には扉を開けると見れる金額確認用表示器があるものも在る。
【０００３】
また、離れた場所の中央管理装置などに、金額計数信号を伝送して、計数し累計表示をするものは在るが、適宜に零復帰出来る小計表示を併せて表示出来るものは無い。
【０００４】
更に、便利さと製作費の経済性を考慮して、この収納小計金額をランク別にして表示したものも無い。
【０００５】
便利さの点では、リモコン操作により外部機器に、小計金額に対応する表示をするものも無い。
【０００６】
【発明が解決しようとする課題】
遊技者が消費して収納している金庫内の金銭を、営業中や閉店後に集金する場合、金庫内にある小計金額が、金庫を開けないと解からないのは不便である。
金庫を開けなくても収納小計金額が解かれば、ある金額ランク以上の金庫だけを集金作業する事ができ便利である。
【０００７】
【課題を解決するための手段】
本発明は、遊技者が消費して収納している金庫内の金額について、集金を前回にした以後に、その後に遊技者が消費して収納した金額に応じた内容が解かる様にするために、収納する金額に応じた信号を計数して、その金額表示を金庫を開けなくても確認出来るようにする事と、集金時に計数金額を零復帰できる事である。
【０００８】
【発明の実施の形態】
金庫内の現在小計金額が、金庫の傍で外部から解かる形態と、俗称リモコンによる周囲で解かる形態、中央管理装置または遠隔で解かる形態などが実現できる。
また、既存設備に追加する形態と、新規装置に組み込む形態がある。
簡単には、扉に小窓を設けて、内部の金額表示器を、外部から小窓を通してからも見られる配置にし、その表示が外部から確認出来るようにする形態も考えられる。
いずれの場合も小計金額の零復帰は、回収作業をした時に、手動または扉に連動したスイッチやリモコンスイッチによりできる形態などがあり得る。
【０００９】
【実施例】
図１は、本発明の一実施例の系統図であって、既存設備に追加する形態の一例であり、図２は、図１の実施例の計数信号を抽出する部分の一例の回路図である。
【００１０】
本発明の主体は遊技場内に多数ある金庫の個々に収納されている小計金額に対応する表示を外部で簡単に確認でき、集金後は個々に零復帰できる様にするシステムにあり、その制御や機構は実施の形態で述べたように様々が考えられ想像出来るが主題ではないので実施例や図面を省略する。
【００１１】
遊技場内に多数ある金庫１には、データ管理の目的で、収納金額に応じた通常１００円につき１パルスの計数信号を出す接点２があり、配線３によりデータ管理装置に接続されていて、接点２が閉じると電気が流れ信号となる様に成っている。
【００１２】
従って接点２が開放の時は端子間即ち配線３には、一定の電圧が掛かっている。
この配線３に信号抽出回路４を接続して計数信号を得る。
【００１３】
配線３へは、信号抽出回路４のコンデンサＣ１側に負極側を、正極側に抵抗器Ｒ１側を接続すると、接点２が開放時には図２においてコンデンサＣ１の右側が正極、左側が負極に蓄電される。
接点２が閉じるとコンデンサＣ１に蓄電された電荷がホトカプラＰＣのダイオード、ダイオードＤ１、抵抗器Ｒ２、配線３を経由して接点２により放電される。
ダイオードＤ１は、ホトカプラの逆電流防止用である。
補足ではあるが、低電圧でも作動する為にはダイオードＤ１を短絡すると効果的である。
【００１４】
放電時、勿論抵抗器Ｒ１にも流れるがＲ１はＲ２より充分大きい為に殆ど無視出来る位の電流であり放電電流エネルギーが殆どホトカプラの二次側に伝送され計数信号を作り出す。
この電荷の放電は、接点２によるだけであり、また前項の蓄電時の電流も、抵抗器Ｒ１はデータ管理装置の内部抵抗に比べ充分大きい値である為に、図には表れていないが断線検出回路などにもデータ管理装置側にも、共に無視できる。
更にこの回路構成はホトカプラにより絶縁されているために、いかなる場合もデータ管理装置や、金庫の機能に影響を与えない様に出来る。
この一例だけでも、信号抽出回路４により計数信号が安全に得られる事が解かる。
【００１５】
計数信号は、制御部５に与えられ、計数機能により計数され、金額計数となり金額計数が１以上Ｍ未満に信号を連続出力用ドライバ７に出して表示器１０を連続点灯させる。
金額計数がＭ以上Ｎ未満に信号をゆっくり点滅出力用ドライバ８に出して表示器１０をゆっくり点滅させる。
金額計数がＮ以上には信号を速い点滅出力用ドライバ９に出して表示器１０を速く点滅させる。
一例として、Ｍは１万円または計数が簡略できる１２８００円であり、Ｎは２万円または計数が簡略できる２５６００円である。
【００１６】
表示された内容に基づき集金作業をしたとき、押しボタンスイッチ、リモコンスイッチ、ドアスイッチなどの零復帰操作部６から信号を制御部５に与えて小計金額を零復帰させる。
【００１７】
【発明の効果】
以上説明したように本発明の金額表示器は、金庫にある金銭を集金する際に、金庫を開けなくても金額が解かり、その金額により金庫を開けるか開けないかの判断が出来て、無駄な作業が削減出来る。
また、必要な金庫だけを、金庫にあまり貯まっていない内に回収する事で、最近多発しているところの、扉を不正に開けられての現金盗難の際には、被害を最小限にする事が可能である。
更に、金額表示を簡単なランク別にする事で、装置費用が安価になり且つ回収作業の際に判断が簡単になり便利である。
【図面の簡単な説明】
【図１】一実施例の系統図であって、既存設備に追加する形態の一例である。
【図２】図１の実施例の計数信号を抽出する部分の一例の回路図である。
【符号の説明】
１    遊技場内に多数ある金庫の一つ
２    収納金額に応じた計数信号を出す接点
３    配線
４    信号抽出回路
５    制御部
６    零復帰操作部
７    連続出力用ドライバ
８    ゆっくり点滅出力用ドライバ
９    速い点滅用ドライバ
１０  表示器（ＬＥＤ）
Ｒ１  抵抗器（３６０ｋΩ）
Ｒ２  抵抗器（１．５ｋΩ）
Ｃ１  コンデンサ（０．１μＦ）
Ｄ１  ダイオード
ＰＣ  ホトカプラ
【図１】
2004318294.tif 000003
【図２】
2004318294.tif 000004
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
遊技場等で遊技者が消費した金銭を収納する金庫内に貨幣が収納される際に、その収納金額に応じた信号を計数して、その計数の累計金額に応じた表示を、金庫扉を開けないでも確認できる所で実施して、この累計金額を適宜に零復帰させる行為が出来る事を特徴とするシステムの手段において、信号抽出回路、計数機能と記憶機能、零復帰機能部から成る制御部と表示機能部を備えた表示システム。